(57)【要約】      （修正有）【課題】震災などの緊急事態が発生した際の備蓄倉庫としても利用できる、使い勝手の良い備蓄品収納家具を提供する。【解決手段】正面に開口部２ａを有する家具本体２の内部に、着脱可能な仕切部材３によって家具本体の背面板２ｂとの間に所要の大きさの空間Ｓ１を形成し、この空間を、非常用飲料や缶詰や米、味噌、醤油、油などの食料品、トイレットペーパーや衣料、医薬品、懐中電灯、ロウソクなど非常用の備蓄品の収納保管スペースとした。仕切部材は、家具本体の相対する左右の側壁に沿って、前後方向に移動可能であり、家具本体内の支持部材に、マグネット又は金具を介して着脱可能に取付けられていることが好ましい。【選択図】図１
0003198889.tif 000002
【実用新案登録請求の範囲】
【請求項１】
正面に開口部を有する家具本体の内部を、着脱可能な仕切部材によって家具本体の背面板との間に所要の大きさの空間を形成し、
得た前記空間部を、備蓄品の収納保管スペースとしたこと
を特徴とする備蓄品収納家具。
【請求項２】
前記仕切部材は、
前記家具本体の相対する左右の側壁に沿って、前後方向に移動可能に設けられていること
を特徴とする請求項１に記載の備蓄品収納家具。
【請求項３】
前記仕切部材は、
前記家具本体内に設けられた支持部材に、マグネット又は金具を介して着脱可能に取付けられていること
を特徴とする請求項１又は２に記載の備蓄品収納家具。
【考案の詳細な説明】
【技術分野】
【０００１】
この考案は、通常は、非常用食料や非常時の装備品などを収納保管することができ、震災などの緊急事態が発生した際の備蓄倉庫としても利用することができる、使い勝手の良い備蓄品収納家具に関する。
【背景技術】
【０００２】
２０１１年３月１１日に発生した東北地方太平洋沖地震によって引き起こされた東日本大震災を契機にして防災意識が高まり、これに伴って非常用物資（例えば、非常用食料、非常時の装備品、医薬品、衣服、水など）の備蓄に対する関心が高まっている。
特に、近年、地震や洪水、津波などの自然災害の発生に備えて、計画的な非常用物資の備蓄が奨励されている。
【０００３】
かかる非常用物資は、通常、いざという時に持ち出し易いように、住居内や、住居とは別棟の物置などに備蓄される。
【０００４】
例えば、実用新案登録第３０４７１１６号公報（特許文献１）においては、地下空間を有効利用して、災害時にも安全で、大物から小物まで便利に収納できる地下収納庫が提案されている。
【０００５】
この地下収納庫は略六面体状のもので、前記六面体の各面を鋼板製のパネルで構成し、各パネルの内面に断熱材を配置するとともに、天井パネルには、スライドレールにより水平方向に開閉する防火扉を備えた出入口を設け、壁面パネルの上部付近に、は吸気ダクトおよび排気ダクトを設け、前記壁面パネルの内面には、棚受け金物と棚板よりなる棚を取り付け、箱状体の内部に、前記出入口下部付近より底面に達する梯子を設けたことを特徴とするものである。
【０００６】
さらに、特開２００７−０９８０５２号公報（特許文献２）においては、非常食料品や非常用備品等の防災用品を収納可能としたパントリーが提案されている。
【０００７】
このパントリーは、所定の構成からなる家族が、所定の日数を過ごすことができるだけの非常食料品を、保管可能な容量を有する非常食料品保管スペースと、非常食料品以外の非常用備品を保管可能な非常用備品保管スペースと、停電時においても収納物を視認可能とする人感センサー式の非常照明とを備えたものであって、前記扉には、地震時に扉を閉止状態に保持し、収納物が飛散するのを防止するための耐震機構を設けるとともに、地震時にロックが掛かって、引き出しの飛び出しを防止するための引き出しロック機構、及び／又は、地震時に、棚から収納物の落下を防止するための落下防止機構を設けたものである。
【０００８】
さらにまた、特開２０１２−２１９４４９号公報（特許文献３）においては、居住する家族の経時的変化に応じて、一世帯用住宅を簡単かつ容易に二世帯用の住宅に変更することができる、世帯数が変更可能な戸建て住宅と、その設計方法が開示されている。
【先行技術文献】
【特許文献】
【０００９】
【特許文献１】登録実用新案第３０４７１１６号公報（請求項１，図２）
【特許文献２】特開２００７−０９８０５２号公報（請求項１，図２）
【特許文献３】特開２０１２−２１９４４９号公報（図１）
【考案の概要】
【考案が解決しようとする課題】
【００１０】
前記特許文献１に記載の床下式地下収納庫は、十分な収納空間を有し、地震や火災などの災害時にも高い安全性を有し、かつ断熱性など貯蔵性能に優れている反面、地下収納庫を構築するに際し、地盤の掘削や構築のため、大掛かりな工事が必要である。
【００１１】
前記特許文献２に記載のパントリーも、所定の構成員からなる家族が所定の日数を過ごすことが可能な非常食料品などを保管可能であるが、パントリーの設置は大掛かりな工事と、そのための費用が嵩み、設置のためには、所要の大きさの土地スペースが必要なものである。
【００１２】
さらに、前記特許文献３に記載されている戸建て住宅などにおいては、居室スペースについては、世帯を構成する家族の増減によって、居住者が自由に設計できるように考慮されている。
しかしながら、階段やバスルーム、洗面・脱衣スペース、トイレ、キッチンなど生活に欠かせないスペースについては、あらかじめ所定の場所に設置されるので、狭いキッチンに非常の際に使用する食料や飲料などを備蓄するためのスペースは殆ど存在せず、比較的スペースのある居室部分に新たに備蓄品を保管するための収納家具を設置することは、居室の美観を損なうおそれがあって好ましくない。
【００１３】
さらにまた、対面式のキッチンなどの場合には、キッチン内に冷蔵庫や食器棚などが配置されることが多く、一般的には、この食器棚の奥行きは、冷蔵庫の奥行きよりも小さいので、この奥行きの差によってデッドスペースが生じていた。
【００１４】
この考案は、かかる現状に鑑み、震災などの緊急事態が発生した際の備蓄倉庫としても利用することができるとともに、使い勝手の良い備備蓄品収納家具を提供することを目的とするものである。
【課題を解決するための手段】
【００１５】
前記目的を達成するため、この考案の備蓄品収納家具は、
正面に開口部を有する家具本体の内部を、着脱可能な仕切部材によって家具本体の背面板との間に所要の大きさの空間を形成し、
得た前記空間部を、備蓄品の収納保管スペースとしたこと
を特徴とするものである。
【００１６】
請求項２に記載の考案は、
請求項１に記載の備蓄品収納家具において、
前記仕切部材は、
前記家具本体の相対する左右の側壁に沿って、前後方向に移動可能に設けられていること
を特徴とするものである。
【００１７】
請求項３に記載の考案は、
請求項１又は２に記載の備蓄品収納家具において、
前記仕切部材は、
前記家具本体内に設けられた支持部材に、マグネット又は金具を介して着脱可能に取付けられていること
を特徴とするものである。
【考案の効果】
【００１８】
この考案にかかる備蓄品収納家具は、正面に開口部を有する家具本体の内部を、着脱可能な仕切部材によって、前記家具本体の背面板との間に所要の大きさの空間が形成されるよう区画し、得られた空間を非常用食料や、非常時の装備品などの備蓄品の収納保管スペースとしたので、備蓄品を収容するための新たな家具を用意することがなく、震災などの緊急事態が発生した際の備蓄倉庫として最適のものである。
【００１９】
さらに、この考案にかかる備蓄品収納家具においては、前記空間の容積を、少なくとも１４０ｍ３  以上を確保することで、標準家族４人が１週間過ごすのに必要な備蓄品を収納保管することが可能となる。
【００２０】
さらにまた、この考案にかかる備蓄品収納家具の一例としての食器棚の奥行きを、一般家庭で使用されている冷蔵庫の奥行きとほぼ同じ寸法とすることで、従来、食器棚と冷蔵庫の奥行きの差によって生じていたデッドスペースを効率的に使用することができる。
【図面の簡単な説明】
【００２１】
【図１】この考案にかかる備蓄品収納家具の一形態を示す一部切欠き断面図である。
【図２】図１におけるＡ−Ａ断面図である。
【図３】この考案にかかる備蓄品収納家具の他の実施例を示す一部切欠き断面図である。
【図４】図３におけるＢ−Ｂ断面図である。
【図５】この考案にかかる備蓄品収納家具の他の実施例を示す部分断面図である。
【図６】図５におけるＣ−Ｃ断面図である。
【考案を実施するための形態】
【００２２】
以下、この考案にかかる備蓄品収納家具の実施の形態を、添付の図面に基づいて具体的に説明する。
なお、この考案の備蓄品収納家具は、図示の実施例に限定されるものではなく、考案の要旨を変更しない範囲内で改良を加えることができるものである。
【００２３】
この考案の備蓄品収納家具１は、図１及び２に示すように、正面に所要の大きさの開口部２ａを有する家具本体２から構成されるものである。
なお、この実施例においては、前記家具本体２は、ボックスタイプのものである。
【００２４】
前記家具本体２は、フラン樹脂素材で構成されているが、素材については特段の制限はないので、木材や、樹脂素材、金属素材（例えばステンレス）などで構成されていてもよい。
【００２５】
前記家具本体２は、その内部が、開口部２ａに向かって前後方向に移動可能な仕切部材３によって区画され、前記仕切板３と家具本体２の背面板２ｂとの間に、備蓄品を収納保管するための所要の大きさの空間Ｓ１と、前記仕切部材３の前面と開口部２ａ側に、日常的に使用又は消費される物品を収納するための、所要の大きさの空間Ｓ２を形成するものである。
なお、前記手法で形成された空間Ｓ１及びＳ２は、必要に応じて他部材からなる仕切板や棚板などを用いて、上下又は左右方向に適宜区画することができる。
この実施例では、前記空間Ｓ２は、仕切板４によって左右方向に区画されている。
【００２６】
この考案において、備蓄品は、日常生活において使用又は消費される機会が少なく、非常時に備えて収納保管される非常用の物品が対象であって、例えば、予備の飲料水や食料品、非常用トイレ、トイレットペーパー、カセットコンロなどの小型調理器具、燃料、電灯、バッテリ、医薬品、ラジオなどが包含される。
【００２７】
一般的に容積１４０〜３００ｍ３程度の空間であれば、標準家族４人が１週間過ごすのに必要な備蓄品を収納保管することが可能なので、前記仕切部材３は、備蓄品収納家具１内の、前記条件を満たす場所に設けることによって、所望の大きさの空間を得ることができる。
【００２８】
その際、前記仕切部材３は、前記家具本体２に着脱可能に設けられる。
したがって、前記備蓄品は、前記仕切部材３を家具本体２から取外すことで、容易に取り出し可能である。
この実施例においては、前記仕切部材３は、図示しないが、その四隅を支持するため家具本体２内に設けられた支持部材に、マグネットを介して着脱可能に取付けられるが、金具などの取付部材を介して着脱可能に取付けてもよく、その取付け方法については特段の制限はない。
なお、家具本体２内に取付け用の溝を設け、この溝により仕切部材３を取付ける、所謂ケンドン式（検飩式）などの公知の方法を採用することができる。
なお、前記仕切部材３に代えて、左右方向にスライド移動可能な扉体を用いることもできる。
【００２９】
前記仕切部材３を構成する素材については、特段の制限はない。
したがって、木材や樹脂素材、金属素材（例えばステンレス）などを選択することができるが、意匠上の観点から、透明性がないか又はきわめて低い素材を選択することが好ましい。
【００３０】
この実施例において、前記空間Ｓ２は、収納空間として利用するため、開口部２ａの上部に引出し２ｃ，２ｃを設ける構成としている。
なお、この空間Ｓ２については、引出しや扉体などで適宜構成することができる。
特に、前記空間Ｓ２内に、キッチンワゴンなど、底部に移動用キャスターを有する家具本体２を利用することによって、前記空間Ｓ１に収納された備蓄品の取り出しが、きわめて容易になる。
【００３１】
この考案において、前記備蓄品収納家具１としては、食器棚や、サイドボード、テーブルカウンター、厨房備蓄品収納家具、収納備蓄品収納家具などの各種の備蓄品収納家具を選択することができる。
【実施例１】
【００３２】
図３は、この考案にかかる備蓄品収納家具の一実施例としての食器棚１０１を示し、前記食器棚１０１は、所要の大きさの食器棚本体１０２と、その上方に配された収納キャビネット１１１から構成されている。
前記食器棚本体１０２の大きさは、この実施例では、高さ８５０ｍｍ×幅１８０４ｍｍ×奥行き６００ｍｍで、前記収納キャビネット１１１の大きさは、高さ７５０ｍｍ×幅１８０４ｍｍ×奥行き４５０ｍｍである。
したがって、前記食器棚１０１の奥行きは、一般的な冷蔵庫の奥行きとほぼ同じであるので、従来、食器棚と冷蔵庫の奥行き（平均６００ｍｍ前後）の差によって生じていたデッドスペースを効率的に使用することができる。
【００３３】
前記食器棚本体１０２は、フラン樹脂製で、正面に所要の大きさの開口部１０２ａを有する箱型のものである。
【００３４】
前記食器棚本体１０２の内部は、フラン樹脂素材で構成された仕切部材１０３によって前後方向に区画されて、前記仕切板１０３と背面板１０２ｂとの間に所要の大きさの空間Ｓ３と、前記仕切部材１０３の前方の開口１０２ａ側に所要の大きさの空間Ｓ４が形成されている。
【００３５】
前記空間Ｓ３は、その容積が１４０〜３００ｍ３程度であれば、標準家族４人が１週間過ごすのに必要な備蓄品を収納保管できるので、この実施例においては、前記空間Ｓ３の奥行きは、１００〜１８０ｍｍであることが好ましい。
よって、前記仕切部材１０３は、前記空間Ｓ３の奥行きが約１８０ｍｍとなるよう取付けられている。
前記仕切部材１０３は、食器棚本体１０２内の所定の位置の四隅に設けられた支持部材（図示せず）に、マグネットを介して着脱可能に取付けられているが、所定の金具を用いて着脱可能に取付けられてもよい。
なお、前記仕切部材１０３の表面には、容易に着脱可能となるよう取っ手（図示せず）が設けられる。
【００３６】
前記空間Ｓ３は、２枚の仕切板１０６，１０６によって、左右方向に３つに区画されるとともに、２枚の棚板１０５，１０５によって、上下方向に３つに区画されている。
【００３７】
前記空間Ｓ４は、２枚の仕切板１０６，１０６によって、左右方向に３つに区画され、各区画は、その上部に引出し１０２ｃが配設されている。
中央の区画は、前面部が開口され、その両端の各区画は、ワゴン１０４，１０４を収納する。
前記ワゴン１０４は、その底部に移動用キャスター１０４ａを備え、収納物を積載したまま前記食器棚本体１０２内から移動可能なものである。
したがって、備蓄品の取り出しは、前記ワゴン１０４を移動させることによって可能となるので、きわめて容易になる。
なお、相対する仕切板１０６，１０６間の幅は、前記ワゴン１０４の幅とほぼ同一にすることによって、前記仕切板１０６は、ガイド部材としても機能し、前記ワゴン１０４の出し入れは、スムーズに行うことができる。
【００３８】
前記収納キャビネット１１１は、収納物を収納するためのもので、正面に所要の大きさの開口部１１２ａを有する箱型のキャビネット本体１１２から構成されている。
【００３９】
前記キャビネット本体１１２は、その開口部１１２ａ内が仕切板１１４によって左右方向に区画され、左右方向にスライド移動可能な扉体１１３によって開閉可能に構成されている。
【００４０】
各区画は、図４に示すように、複数の棚板１１５によって上下方向に区画されている。
前記各棚板１１５の長手方向において相対する各側面には、前記区画の奥行き方向の両側面とスライド可能に嵌合されるガイド溝（図示せず）が形成され、これにより棚板１１５が前後方向にスライド移動可能となっている。
【００４１】
前記扉体１１３は、子供が絵などを描くことが可能なように、その中央の表面をホワイトボードのように形成して、ペンで文字などを書いたり消したりすることができるように構成し、その両端のものについては、ガラスなどの透明性を有する素材で構成して内部を視認できるように構成している。
【００４２】
かかる構成の食器棚１０１によれば、例えば、非常飲料４２本、食料品としての米９０食、パン缶詰６０缶、缶詰５４缶、及びレトルトカレー６０食、カセットコンロ１台、ホットプレ−ト１台並びにガスボンベ３本の収納保管が可能である。
【実施例２】
【００４３】
図５に示すテーブルカウンター２０１は、フラン樹脂素材で構成された、所要の大きさのテーブルカウンター本体２０２から構成されている。
この実施例において、前記テーブルカウンター本体２０２の大きさは、高さ７２２ｍｍ×幅２５７０ｍｍ×奥行き６００ｍｍである。
【００４４】
前記テーブルカウンター本体２０２は、仕切部材（前板）２０３と一対の側面板と背面板によって形成される、備蓄品を収納保管するための空間Ｓ５と、前記仕切部材（前板）２０３の開口部２０２ａ側に形成される空間Ｓ６を有する。
この実施例において、前記空間Ｓ５の大きさは、高さ６８４ｍｍ×幅２４００ｍｍ×奥行き１７０ｍｍである。
【００４５】
なお、前記空間Ｓ５は、３枚の仕切板（図示せず）によって、左右方向に４つに区画され、各区画は、１枚の棚板２０５によって、上下方向に２つに区画されている。
【００４６】
前記空間Ｓ６は、複数のワゴン２０４，２０４を収納するものである。
前記ワゴン２０４は、その底部に移動用キャスター２０４ａを備え、収納物を積載したまま前記テーブルカウンター本体２０２から移動可能なものである。
したがって、備蓄品の取り出しは、前記ワゴン２０４を移動させることによって可能となるので、きわめて容易になる。
【００４７】
前記テーブルカウンター本体２０２は、その左端部にマガジンラック２１１が設けられる構成としているが、他の備蓄品収納家具や、側壁などを、いずれか一方の端部又は両端部に、適宜設ける構成とすることができる。
なお、この実施例において、テーブルカウンター本体２０２は、その右端部の前方が開放される構成としているが、開放しない構成としてもよいし、左端部の前方が開放される構成としてもよい。
【００４８】
かかる構成のテーブルカウンター２０１によれば、非常飲料４８本又はトイレットペーパー８０ロールの収納保管が可能である。
【産業上の利用可能性】
【００４９】
この考案にかかる備蓄品収納家具は、非常用食料や、非常時の装備品などの備蓄品を収納保管するためのスペースを有するものである。
したがって、震災などの緊急事態が発生した際の備蓄倉庫としても利用することができるとともに、使い勝手の良い備蓄品収納家具として幅広く利用されるものである。
【符号の説明】
【００５０】
１          備蓄品収納家具
２          家具本体
２ａ        開口部
２ｂ        背面板
２ｃ        引出し
３          仕切部材
４          仕切板
１０１      食器棚
１０２      食器棚本体
１０２ａ    開口部
１０２ｂ    背面板
１０２ｃ    引出し
１０３      仕切部材
１０４      ワゴン
１０４ａ    移動用キャスター
１０５      棚板
１０６      仕切板
１１１      収納キャビネット
１１２      キャビネット本体
１１２ａ    開口部
１１３      扉体
１１４      仕切板
１１５      棚板
２０１      テーブルカウンター
２０２      テーブルカウンター本体
２０２ａ    開口部
２０３      前板（仕切部材）
２０４      ワゴン
２０４ａ    移動用キャスター
２０５      棚板
２１１      マガジンラック
Ｓ１〜Ｓ６  空間
【図１】
0003198889.tif 000003
【図２】
0003198889.tif 000004
【図３】
0003198889.tif 000005
【図４】
0003198889.tif 000006
【図５】
0003198889.tif 000007
【図６】
0003198889.tif 000008